(57)【特許請求の範囲】
【請求項１】
エアゾール容器のステムに接続されるステム接続部及び該ステム接続部に連通する吐出筒を有し、前記ステムの押し下げによりエアゾール容器に収容された内容物を前記吐出筒の先端から吐出可能としたノズル体と、
前記エアゾール容器に装着されて前記吐出筒の先端を前方に突出させつつ前記ノズル体を取り囲むカバー体と、を備え、
前記カバー体は、前記ノズル体の左右両側に位置するとともに前記ステムの押し下げ方向と平行な前後一対のガイド溝が形成されたガイド壁を有し、
前記ノズル体は、左右両側にそれぞれ設けられるとともに、前記前後一対のガイド溝に摺動自在に嵌り込む前後一対のガイド突起を有し、
前記ノズル体が、前記カバー体にセットされる際に前記カバー体に形成した後方開口から挿入される構成であり、
前記前後一対のガイド突起における前方側のガイド突起の幅が、前記前後一対のガイド溝における後方側のガイド溝の溝幅よりも大きい、吐出具。
【請求項２】
前記前後一対のガイド突起が、左右方向の内側に向けて弾性変形可能な弾性片にそれぞれ設けられている、請求項１に記載の吐出具。
【請求項３】
前記前後一対のガイド突起における前方側のガイド突起が前記ステム接続部よりも前方に位置し、後方側のガイド突起が、前記ステム接続部よりも後方に位置する、請求項１又は２に記載の吐出具。
【請求項４】
前記カバー体が、前記エアゾール容器のマウンティングカップに装着される固定盤と、該固定盤を取り囲む周壁を有するカバー部材とで構成され、
該カバー部材は、前記周壁の内面から突出し、前記固定盤に形成されたスリットに入り込む位置決めリブを有する、請求項１〜３の何れか一項に記載の吐出具。
【発明の詳細な説明】
【技術分野】
【０００１】
本発明は、内容物を収容するエアゾール容器に装着される吐出具に関する。
【背景技術】
【０００２】
従来、内容物とともに加圧ガスを収容しておき、ステムを押し下げることで内容物を外部に吐出させるようにしたエアゾール容器としては、１つの容器内に一の内容物を収容するとともに１本のステムを有するシングルタイプの容器や、シングルタイプの容器を左右に並べて１組とした二連式タイプの容器（例えば特許文献１）の他、１つの容器内に２種類の内容物を別個に収容するとともに２本のステムを有する容器が知られている。
【０００３】
例えば特許文献１には、エアゾール容器に装着される固定盤と、固定盤に取付けられるカバー部材と、ヒンジ部を介してカバー部材と一体に設けられるノズルとを備え、ノズルを押し下げることでエアゾール容器のステムを介してノズルの吐出口から内容物を吐出する構成のエアゾール容器用吐出具が記載されている。
【先行技術文献】
【特許文献】
【０００４】
【特許文献１】特開２０１４−２３４１９３号公報
【発明の概要】
【発明が解決しようとする課題】
【０００５】
しかしながら、特許文献１に記載の吐出具では、ノズルがヒンジを介してカバー部材と一体に連結され、ヒンジを支点としたノズルの揺動変位によってステムを押し下げる構成としているため、押し下げが進むにつれてノズルはヒンジを支点に前方に傾斜していくことになる。そのため、ステムに対して押し下げ方向の力を真っ直ぐに伝えることが難しく、ノズル及びステムの動作が不安定になり易かった。その結果、特に、２本のステムから異なる種類の内容物を同時に吐出させる容器においては、２種類のステムの押し下げ量がばらつき、内容物の吐出量のバランス（割合）が不安定になり易いという問題があった。
【０００６】
それゆえ、本発明は、ステムに対して押し下げ方向の力を真っ直ぐに伝えることができ、内容物の吐出量のバランスを安定させることが可能な吐出具を提供することを目的とする。
【課題を解決するための手段】
【０００７】
本発明は上記課題を解決するためになされものであり、本発明の吐出具は、エアゾール容器のステムに接続されるステム接続部及び該ステム接続部に連通する吐出筒を有し、前記ステムの押し下げによりエアゾール容器に収容された内容物を前記吐出筒の先端から吐出可能としたノズル体と、
前記エアゾール容器に装着されて前記吐出筒の先端を前方に突出させつつ前記ノズル体を取り囲むカバー体と、を備え 、
前記カバー体は、前記ノズル体の左右両側に位置するとともに前記ステムの押し下げ方向と平行な前後一対のガイド溝が形成されたガイド壁を有し、
前記ノズル体は、左右両側にそれぞれ設けられるとともに、前記前後一対のガイド溝に摺動自在に嵌り込む前後一対のガイド突起を有するものである。
【０００８】
なお、本発明の吐出具にあっては、前記ノズル体が、前記カバー体にセットされる際に前記カバー体に形成した後方開口から挿入される構成であり、
前記前後一対のガイド突起における前方側のガイド突起の幅が、前記前後一対のガイド溝における後方側のガイド溝の溝幅よりも大きいことが好ましい。
【０００９】
また、本発明の吐出具にあっては、前記前後一対のガイド突起が、左右方向の内側に向けて弾性変形可能な弾性片にそれぞれ設けられていることが好ましい。
【００１０】
また、本発明の吐出具にあっては、前記前後一対のガイド突起における前方側のガイド突起が前記ステム接続部よりも前方に位置し、後方側のガイド突起が、前記ステム接続部よりも後方に位置することが好ましい。
【００１１】
また、本発明の吐出具にあっては、前記カバー体が、前記エアゾール容器のマウンティングカップに装着される固定盤と、該固定盤を取り囲む周壁を有するカバー部材とで構成され、
該カバー部材は、前記周壁の内面から突出し、前記固定盤に形成されたスリットに入り込む位置決めリブを有することが好ましい。
【発明の効果】
【００１２】
本発明によれば、ステムに対して押し下げ方向の力を真っ直ぐに伝えることができ、内容物の吐出量のバランスを安定させることが可能な吐出具を提供することが可能となる。
【図面の簡単な説明】
【００１３】
【図１】本発明の一実施形態に係る吐出具をエアゾール容器に装着した状態を示す、側面側から見た断面図である。
【図２】図１の吐出具におけるノズル体を示す図であり、（ａ）は成形後の展開状態を示す平面図であり、（ｂ）は側面図であり、（ｃ）は上側部材と下側部材を嵌合させた使用状態を示す側面図である。
【図３】図１の吐出具における固定盤を示す図であり、（ａ）は平面図であり、（ｂ）は側面側から見た断面図である。
【図４】図１の吐出具におけるカバー部材を示す側面側から見た断面図である。
【図５】（ａ）は図１の吐出具におけるカバー部材の後方開口からノズル体を挿入する様子を示す断面図であり、（ｂ）はカバー部材にノズル体を仮セットした状態を示す断面図である。
【図６】図１の吐出具の背面図である。
【図７】図１の吐出具におけるカバー部材を適切な位置で固定盤に装着するための構成を説明するための断面図である。
【図８】図１の吐出具において操作片を押し下げた状態を示す断面図である。
【発明を実施するための形態】
【００１４】
以下、本発明の実施の形態を図面に基づき詳細に説明する。なお、本明細書、特許請求の範囲及び要約書において「前方」とは、ノズル体の吐出筒の先端（吐出口）が位置する側であり、「後方」とは、その反対側である。また、「左側」、「右側」とは、前方側から後方側に向かって見る際の左右方向をいう。そして「上方」とは、図１において、エアゾール容器に対してノズル体が位置する側であり、「下方」とは、その反対側である。
【００１５】
図１に示すように、本発明の一実施形態である吐出具１は、エアゾール容器２に装着されるものであり、ステム２５に接続されて吐出筒３１の先端３１ａから内容物を吐出するノズル体３と、ノズル体３を取り囲むカバー体４とを備える。
【００１６】
エアゾール容器２は、例えば合成樹脂製となる有底円筒状の容器本体２１に、例えば金属製となるマウンティングカップ２２の外縁を巻き締めして固着したものであって、容器本体２１の内側には２種類の内容物が別個に収容されている。本実施形態のマウンティングカップ２２は、容器本体２１に巻き締めした円環状部２３と、円環状部２３の上方に位置し、円周状の側面の一部を平面状にしたマウンティングカップ本体部２４とを有している。またエアゾール容器２は、それぞれの内容物の収容空間につながる総計２つのステム２５を有していて、２つのステム２５は、マウンティングカップ本体部２４から上方に向けて突出している。
【００１７】
ノズル体３は、図２（ａ）〜（ｃ）にも示すように、吐出筒３１が設けられた上側部材３ａと、ステム２５に接続される一対のステム接続部３２が設けられた下側部材３ｂとを、薄肉状に形成されたヒンジ部３３を介して一体に連結したものである。吐出筒３１には、各ステム２５からの内容物がそれぞれ通過する２本の流路が形成されている。ノズル体３は図２（ａ）、（ｂ）に示すような展開状態で射出成型等により成形され、ヒンジ部３３に沿って折り曲げて上側部材３ａと下側部材３ｂとを嵌合させることで、図２（ｃ）に示す使用状態となる。なお、図１等に示すノズル体３の断面図は、内容物の流路が理解し易い様、上側部材３ａは吐出筒３１に設けられた２つの内容物流路のうちの一方の流路の中心軸線を通る切断面を示し、下側部材３ｂは２つのステム接続部３２のうちの一方の中心軸線を通る切断面を示している。
【００１８】
ノズル体３は、図１及び図２（ｃ）に示す使用状態において、上側部材３ａと下側部材３ｂの間に、各ステム接続部３２と吐出筒３１とを連通させる内容物の２本の流路を区画形成する。これにより、エアゾール容器２のステム２５は、ステム接続部３２とノズル体３内の流路を介して吐出筒３１に連通することとなる。
【００１９】
下側部材３ｂに設けられた一対のステム接続部３２は、それぞれ円筒状に形成されてステム２５に嵌合する。また下側部材３ｂの左右両側にはそれぞれ、前方リブ３４及び後方リブ３５が設けられている。前方リブ３４及び後方リブ３５は、本発明における前後一対のガイド突起を構成するものである。本例において前方リブ３４のリブ幅ｗ１は、後方リブ３５のリブ幅ｗ２よりも大きくなっている。
【００２０】
前方リブ３４は、下側部材３ｂの前縁部から左右両側にそれぞれ延びる一対の前方弾性片３６の先端部に設けられている。前方弾性片３６は内側に設けた隙間３７に向けて弾性変形可能に構成されているため、前方リブ３４は、当該前方弾性片３６の弾性変形に伴って左右方向の内側に変位可能とされている。後方リブ３５は、下側部材３ｂの後部から左右両側にそれぞれ延びる一対の後方弾性片３８の先端部に設けられている。後方弾性片３８は、内側に設けた隙間３９に向けて弾性変形可能に構成されているため、後方リブ３５は、当該後方弾性片３８の弾性変形に伴って左右方向の内側に変位可能とされている。
【００２１】
図２（ｃ）に示すノズル体３の使用状態で吐出筒３１の先端３１ａが位置する側をノズル体３の前方側とした場合において、前方リブ３４は、一対のステム接続部３２よりも前方に配置され、後方リブ３５は、一対のステム接続部３２よりも後方に配置されている。このように、ステム接続部３２から前後にずらした位置に前方リブ３４及び後方リブ３５を配置することで、ステム接続部３２の真横に突起を設ける場合に比べて、ノズル体３の左右方向の幅ｗ３を小さくすることができる。
【００２２】
左右両側の後方弾性片３８には、後方側に向けて水平に延びる支持片４０がそれぞれ設けられている。また、ノズル体３の上側部材３ａには、上方に突出する一対の押し下げ用の当接壁４１が設けられている。
【００２３】
図１に示すように、本実施形態のカバー体４は、エアゾール容器２のマウンティングカップ２２に装着される固定盤５と、固定盤５に着脱自在に装着されるカバー部材６とで構成されている。
【００２４】
固定盤５は、図３（ａ）、（ｂ）に示すように、中央部に開口５１ａを設けた上壁５１と、マウンティングカップ本体部２４の側面を取り囲む略円筒状の側壁５２とを備えている。本実施形態の側壁５２は、マウンティングカップ本体部２４の側面における平面状の部位に対応する位置に平坦部５２ａを有していて、マウンティングカップ本体部２４に対して回転しないようにしている。また側壁５２の下部には、径方向外側に向けて延在するフランジ５３を設けていて、フランジ５３の下部には、円環状部２３を取り囲んで円環状部２３に抜け止め保持される嵌合壁５４を設けている。またフランジ５３の外縁部には、下方に延在する円筒状の外側壁５５を設けている。
【００２５】
側壁５２の外面には、カバー部材６を固定盤５に装着する際の目印となる目印凸部５６が設けられている。当該目印凸部５６は、上記平坦部５２ａに対応する位置と、平坦部５２ａから周方向に１８０度ずれた位置にそれぞれ設けられている。また、外側壁５５には、一対の目印凸部５６に対応する位置にそれぞれスリット５７が形成されており、スリット５７から周方向に９０度ずれた位置の２か所に係合突起５８が設けられている。
【００２６】
カバー部材６は、図４に示すように、エアゾール容器２の上端部、固定盤５及びノズル体３を取り囲む筒状の周壁６１と、周壁６１の上部に連なる頂壁６２と、頂壁６２から垂下するガイド壁６３とを有する。周壁６１の内面には、固定盤５に形成された一対のスリット５７にそれぞれ嵌り込む位置決めリブ６１ａが設けられている。なお、本実施形態のカバー部材６は、図１に示す状態から１８０度回転させた状態でも固定盤５に装着することができる構成としている。
【００２７】
周壁６１の前方側には、吐出筒３１の先端３１ａを前方に突出させる前方開口６４が形成されており、前方開口６４の下方には、目印凸部５６が嵌り込んで装着を確認するための目印開口６１ｂが形成されている。周壁６１の後方側には、後方開口６５が形成されており、周壁６１の左右両側には、固定盤５の係合突起５８に係合する側部開口６１ｃが形成されている。側部開口６１ｃは、溝６１ｄにより弾性変形可能に形成された弾性部６１ｅに形成されている。また、前方開口６４の上方には、一対のガイド壁６３の間で、頂壁６２に対して薄肉状のヒンジ部６６を介して揺動自在に連結された操作片６７が設けられている。内容物を吐出する際には、この操作片６７を上方から押し下げることで操作片６７の下面が当接壁４１に当接してノズル体３が押し下げられる。
【００２８】
ガイド壁６３は、ノズル体３を挟んで左右両側に位置するものであり、それぞれのガイド壁６３には、前方リブ３４及び後方リブ３５がそれぞれ摺動自在に嵌り込む前後一対のガイド溝６８、６９が形成されている。前方側のガイド溝６８及び後方側のガイド溝６９はガイド壁６３の下端から切り欠き状に形成され、ステム２５の押し下げ方向と平行な上下方向（容器の中心軸線Ｃと平行な方向）に延びている。前方側のガイド溝６８の溝幅ｗ４は、後方側のガイド溝６９の溝幅ｗ５よりも大きくなっている。
【００２９】
ここで、上記構成の吐出具１をエアゾール容器２にセットする際には、予めノズル体３をカバー部材６に仮セットしたものを、エアゾール容器２に装着した固定盤５に装着する。本実施形態では、ノズル体３をカバー部材６に仮セットする際、図５（ａ）に示すようにカバー部材６の後方開口６５からノズル体３を挿入する構成としている。なお、ノズル体３をカバー部材６に仮セットする際に、ノズル体３をカバー部材６の下方から挿入して仮セットする構成とした場合には、吐出筒３１が長すぎると挿入が困難になる虞があるが、本実施形態においては、後方開口６５からノズル体３を挿入する構成としたことにより、吐出筒３１の長さに関わらず容易にセットすることができる。
【００３０】
本実施形態において、ノズル体３の左右方向の幅ｗ３（図２（ａ）参照）は、後方開口６５の幅ｗ６、すなわち左右のガイド壁６３の間の距離（図６参照）よりも大きい構成としている。そのため、ノズル体３を挿入する際、前方リブ３４及び後方リブ３５は両側のガイド壁６３に当接するものの、前方弾性片３６及び後方弾性片３８の弾性変形により前方リブ３４及び後方リブ３５は内側に変位するため、容易にノズル体３を挿入することができる。ノズル体３を挿入していき、前後のガイド溝６８、６９に対して前方リブ３４及び後方リブ３５がそれぞれ嵌り込むと、前後方向の移動が停止され、仮セットが完了する。
【００３１】
なお、前方リブ３４のリブ幅ｗ１が後方側のガイド溝６９の溝幅ｗ５よりも大きいため、ノズル体３の挿入過程で前方リブ３４が後方リブ３５に嵌り込むことがない。そのため、ノズル体３の挿入を途中で停止することなくスムーズに行うことができる。また、本実施形態では、ノズル体３を挿入する際、当接壁４１が操作片６７の下面に当接して操作片６７が自動的に上方に変位する構成としているため、ノズル体３の挿入がさらに容易となる。
【００３２】
図５（ｂ）に示すように、本実施形態ではカバー部材６にノズル体３を仮セットした状態で、吐出筒３１の下面が前方開口６４の開口縁下端に設けた前方支持部６４ａに当接して支持される。また、ノズル体３の一対の支持片４０が後方開口６５の開口縁下端に設けた一対の後方支持部６５ａに当接して支持される構成としている。これにより、仮セット状態において、カバー部材６からノズル体３が脱落することを防止することができるので、エアゾール容器２に対するセットが容易となる。また、カバー部材６にノズル体３を仮セットした状態で、ノズル体３は左右方向の変位を両側のガイド壁６３に規制され、前後方向の変位を前後のガイド溝６８、６９にそれぞれ嵌り込む前方リブ３４及び後方リブ３５によって規制されるため、位置が安定する。これにより、カバー部材６を固定盤５に装着するだけで、容易にノズル体３のステム接続部３２をステム２５に嵌合させることができる。なお、カバー部材６を固定盤５に装着する際には、固定盤５の目印凸部５６と、カバー部材６の目印開口６１ｂの方向を合わせることで、容易に位置合わせを行うことができる。固定盤５に対するカバー部材６の周方向位置が合っていない場合には、図７に示すように、位置決めリブ６１ａの下端が外側壁５５の上端に当接することで、誤った位置での取り付けを防止している。
【００３３】
図１に示すように吐出具１を装着したエアゾール容器２から内容物を吐出する際には、図８に示すように、操作片６７を押し下げる。操作片６７に押圧されるノズル体３は、前後のガイド溝６８、６９に摺動自在に嵌り込む前方リブ３４及び後方リブ３５によって、ステム２５の押し下げ方向に真っ直ぐに移動する。これにより、各ステム２５に対して押し下げ方向の力を真っ直ぐに伝えることができ、各ステム２５から吐出される内容物のバランスを安定させることが可能となる。ノズル体３の動作安定性が向上し、２本のステム２５が共に押し下げ方向に真っ直ぐに押し下げられるため、各ステム２５から適切な吐出量のバランスで内容物を吐出することができる。
【００３４】
なお、本実施形態では、ステム接続部３２から前後にずらした位置に前方リブ３４及び後方リブ３５を配置することで、ノズル体３の幅ｗ３を小さくしたことにより、後方開口６５の幅ｗ６、つまり一対のガイド壁６３間の距離を小さく抑えることができる。一対のガイド壁６３間の距離を狭くすることで、操作片６７を押し下げる際に指を置く位置を左右方向の中央側に誘導することができる。これにより、２本のステム２５が均等に押し下げられ易くなるため、吐出量のバランスがさらに安定し易くなる。
【００３５】
以上、図示例に基づき説明したが、本発明は上述の実施形態に限定されるものでなく、特許請求の範囲の記載範囲内で適宜変更することができるものであり、例えば、先の実施形態では、ノズル体３を、カバー部材６の後方開口６５から挿入して仮セットする構成としたが、前方開口６４から挿入する構成としてもよい。この場合には、後方リブ３５のリブ幅ｗ２を、前方リブ３４のリブ幅ｗ１及び前方側のガイド溝６８の溝幅ｗ４よりも大きくして、挿入時に後方リブ３５が前方側のガイド溝６８に嵌り込まない構成とすることが好ましい。また、本発明は、１つの容器内に２種類の内容物を別個に収容するとともに２本のステムを有するエアゾール容器に限らず、１つの容器内に一の内容物を収容するとともに１本のステムを有するシングルタイプのエアゾール容器や、シングルタイプの容器を左右に並べて１組とした二連式タイプのエアゾール容器にも適用可能である。
【符号の説明】
【００３６】
１  吐出具
２  エアゾール容器
３  ノズル体
３ａ  上側部材
３ｂ  下側部材
４  カバー体
５  固定盤
６  カバー部材
２１  容器本体
２２  マウンティングカップ
２３  円環状部
２４  マウンティングカップ本体部
２５  ステム
３１  吐出筒
３１ａ  先端（吐出口）
３２  ステム接続部
３３  ヒンジ部
３４  前方リブ（ガイド突起）
３５  後方リブ（ガイド突起）
３６  前方弾性片
３７  隙間
３８  後方弾性片
３９  隙間
４０  支持片
４１  当接壁
５１  上壁
５１ａ  開口
５２  側壁
５２ａ  平坦部
５３  フランジ
５４  嵌合壁
５５  外側壁
５６  目印凸部
５７  スリット
５８  係合突起
６１  周壁
６１ａ  位置決めリブ
６１ｂ  目印開口
６１ｃ  側部開口
６１ｄ  溝
６１ｅ  弾性部
６２  頂壁
６３  ガイド壁
６４  前方開口
６４ａ  前方支持部
６５  後方開口
６５ａ  後方支持部
６６  ヒンジ部
６７  操作片
６８  前方側のガイド溝
６９  後方側のガイド溝
ｗ１  前方リブのリブ幅
ｗ２  後方リブのリブ幅
ｗ３  ノズル体の幅
ｗ４  前方側のガイド溝の溝幅
ｗ５  後方側のガイド溝の溝幅
ｗ６  後方開口の幅
Ｃ  中心軸線
【図１】
0006576147.tif 000002
【図２】
0006576147.tif 000003
【図３】
0006576147.tif 000004
【図４】
0006576147.tif 000005
【図５】
0006576147.tif 000006
【図６】
0006576147.tif 000007
【図７】
0006576147.tif 000008
【図８】
0006576147.tif 000009